(57)【要約】      （修正有）【課題】衝撃に弱い物品を傷めることなく確実に搬送することのできる物品搬送用ベルトを提供する。【解決手段】ベルト本体にベルト本体の厚さ方向に弾性変形可能な複数の中空状の突起２ｂを設け、各突起２ｂの内部に気体または液体からなる流体Ｂを封入したので、突起２ｂの弾性変形及び流体Ｂの緩衝作用によって物品の落下時及び搬送時の衝撃を吸収することができ、衝撃に弱い物品を傷めることなく確実に搬送することができる。その際、物品を複数の突起２ｂによって支持することができるので、突起２ｂから物品に加わる圧力を分散させることができ、局部的な圧力による物品の損傷を効果的に防止することができる。【選択図】図４
0003119558.tif 000002
【実用新案登録請求の範囲】
【請求項１】
シート状のゴムからなるベルト本体に任意の物品を載置して搬送する物品搬送用ベルトにおいて、
前記ベルト本体にベルト本体の厚さ方向に弾性変形可能な複数の中空状の突起を設け、各突起の内部に気体または液体からなる流体を封入した
ことを特徴とする物品搬送用ベルト。
【請求項２】
前記ベルト本体の表面に取付けられ、複数の突起をシート状部材の表面に設けてなる複数の緩衝ユニットを備えた
ことを特徴とする請求項１記載の物品搬送用ベルト。
【請求項３】
前記各突起を円柱状に形成した
ことを特徴とする請求項１または２記載の物品搬送用ベルト。
【請求項４】
複数の突起内を互いに連通する連通部を備えた
ことを特徴とする請求項１、２または３記載の物品搬送用ベルト。
【請求項５】
前記突起内に流体を流入及び流出可能な流出入口を備えた
ことを特徴とする請求項１、２、３または４記載の物品搬送用ベルト。
【請求項６】
前記流出入口を開閉可能なバルブを備えた
ことを特徴とする請求項１、２、３、４または５記載の物品搬送用ベルト。
【考案の詳細な説明】
【技術分野】
【０００１】
本考案は、例えば果物や野菜のように衝撃に弱い物品を搬送するための物品搬送用ベルトに関するものである。
【背景技術】
【０００２】
一般に、各種物品を搬送するためのコンベヤは、無端状に形成された搬送ベルトと、搬送ベルトが巻き掛けられた複数のプーリとからなり、プーリを回転させて搬送ベルト上の物品を搬送するように構成されている。しかしながら、前記コンベヤでは、例えば果物や野菜のように衝撃に弱い物品が搬送ベルト上に落下すると、衝撃で物品が傷み、商品価値を低下させるという問題がある。
【０００３】
そこで、搬送ベルトの表面に、反発係数の小さいゴムを設けたり、または多数の凹凸部からなる応力分散性ゲル材を設けたり、或いは糸状体樹脂を絡ませたクッション材を設けるなど、緩衝性を有する部材によって物品への衝撃を吸収するようにしたものが知られている（例えば、特許文献１乃至３参照。）。
【特許文献１】特開平９−８６６２９号公報
【特許文献２】特開平１０−３２９９１５号公報
【特許文献３】特開平９−１３２３１０号公報
【考案の開示】
【考案が解決しようとする課題】
【０００４】
しかしながら、前述のように単に緩衝性を有する部材を搬送ベルトの表面に設けたものでは、落下時の衝撃を吸収することができても、搬送中の振動による衝撃を効果的に吸収することができなかったり、或いは部材の劣化により緩衝性能が低下するなど、衝撃に弱い物品を傷めることなく確実に搬送するためには衝撃吸収力が不十分であった。
【０００５】
本考案は前記問題点に鑑みてなされたものであり、その目的とするところは、衝撃に弱い物品を傷めることなく確実に搬送することのできる物品搬送用ベルトを提供することにある。
【課題を解決するための手段】
【０００６】
本考案は前記目的を達成するために、シート状のゴムからなるベルト本体に任意の物品を載置して搬送する物品搬送用ベルトにおいて、前記ベルト本体にベルト本体の厚さ方向に弾性変形可能な複数の中空状の突起を設け、各突起の内部に気体または液体からなる流体を封入している。
【０００７】
これにより、複数の突起が物品との接触により弾性変形するとともに、突起内の流体の緩衝作用、即ち物品の荷重に応じて流体が圧縮または流動することにより、物品の落下衝撃及び搬送中の振動による衝撃が吸収される。また、物品が複数の突起によって支持されることから、突起から物品に加わる圧力が分散する。
【考案の効果】
【０００８】
本考案の物品搬送用ベルトによれば、複数の突起の弾性変形及び流体の緩衝作用によって物品の落下時及び搬送時の衝撃を吸収することができるので、衝撃に弱い物品を傷めることなく確実に搬送することができる。その際、物品を複数の突起によって支持することができるので、突起から物品に加わる圧力を分散させることができ、局部的な圧力による物品の損傷を効果的に防止することができる。
【考案を実施するための最良の形態】
【０００９】
図１乃至図５は本考案の一実施形態を示すもので、図１は物品搬送用ベルトの一部断面図、図２は緩衝ユニットの斜視図、図３はその平面図、図４はその一部断面側面図、図５はコンベヤの部分側面図である。
【００１０】
この物品搬送用ベルトは、シート状のゴムからなるベルト本体１と、ベルト本体１の表面に取付けられたゴム製の複数の緩衝ユニット２とからなり、例えば果物や野菜等のように衝撃に弱い物品Ａを載置して搬送するものである。
【００１１】
各緩衝ユニット２は、四角形状に形成されたシート状部材２ａと、シート状部材２ａの上面に設けられた複数の中空状の突起２ｂとからなり、シート状部材２ａはベルト本体１の表面に貼り付けられている。各突起２ｂはそれぞれ上下方向（ベルト本体１の厚さ方向）に弾性変形可能な円柱状に形成され、前後方向及び幅方向に複数ずつ配列されている。各突起２ｂの間には、各突起２ｂの内部を前後方向及び左右方向に連通する複数の連通部２ｃが設けられ、各連通部２ｃはシート状部材２ａの上面に各突起２ｂの下端側を連通するように設けられている。また、各突起２ｂの内部には気体または液体からなる流体Ｂが封入されており、シート状部材２ａの一端には各突起２ｂに流体Ｂを流入及び流出させるための流出入口２ｄが設けられている。流出入口２ｄにはフレキシブルチューブからなる外部配管３が接続可能になっており、外部配管３に接続された流体注入器４から各突起２ｂ内に流体Ｂを注入可能になっている。また、流出入口２ｄにはバルブ２ｅが設けられ、バルブ２ｅを開放することにより各突起２ｂ内の流体Ｂを流出入口２ｄから排出可能になっている。
【００１２】
前記物品搬送用ベルトは、図５に示すようにベルト本体１をコンベヤ１０のプーリ１１に巻き掛けられ、ベルト本体１の上面に載置した物品Ａをプーリ１１の回転により搬送するようになっている。その際、緩衝ユニット２の複数の突起２ｂが物品Ａとの接触により弾性変形するとともに、突起２ｂ内の流体Ｂの緩衝作用、即ち物品Ａの荷重に応じて流体Ｂが圧縮または流動することにより、物品Ａの落下衝撃及び搬送中の振動による衝撃が吸収される。また、ベルト本体１上の物品Ａは複数の突起２ｂによって支持されることから、突起２ｂから物品Ａに加わる圧力が分散する。
【００１３】
このように、本実施形態の物品搬送用ベルトによれば、ベルト本体１にベルト本体の厚さ方向に弾性変形可能な複数の中空状の突起２ｂを設け、各突起２ｂの内部に気体または液体からなる流体Ｂを封入したので、突起２ｂの弾性変形及び流体Ｂの緩衝作用によって物品Ａの落下時及び搬送時の衝撃を吸収することができ、衝撃に弱い物品を傷めることなく確実に搬送することができる。その際、物品Ａを複数の突起２ｂによって支持することができるので、突起２ｂから物品Ａに加わる圧力を分散させることができ、局部的な圧力による物品Ａの損傷を効果的に防止することができる。
【００１４】
また、シート状部材２ａに複数の突起２ｂを設けてなる緩衝ユニット２をベルト本体１の表面に取付けるようにしたので、ベルト本体１の長さや幅寸法に応じた数の緩衝ユニット２を用いることができ、汎用性の向上を図ることができる。
【００１５】
更に、各突起２ｂを円柱状に形成したので、各突起２ｂを高密度に配置することができ、物品Ａに加わる圧力をより多くの突起２ｂによって分散させることができる。
【００１６】
また、各突起２ｂ内を連通部２ｃによって互いに連通させるようにしたので、物品Ａに接する複数の突起２ｂ間で相互に流体Ｂを移動させることができ、複数の突起２ｂから物品Ａに加わる圧力を均一にすることができる。
【００１７】
更に、各突起２ｂ内の流体Ｂを流入及び流出させるための流出入口２ｄを備えているので、例えば流体Ｂに液体を用いる場合は、使用時まで流体Ｂを封入する必要がなく、軽量化を図ることができる。
【００１８】
また、流出入口２ｄをバルブ２ｅによって開閉するようにしたので、流体Ｂの流入及びバルブ２ｅの開放による流体Ｂの排出により、各突起２ｂ内の流体Ｂの圧力を調整することができる。これにより、各突起２ｂの衝撃吸収力を物品Ａの大きさや重量に応じて任意に設定することができるので、多種多様な物品を搬送する場合に極めて有利である。
【図面の簡単な説明】
【００１９】
【図１】本考案の一実施形態を示す物品搬送用ベルトの一部断面図
【図２】緩衝ユニットの斜視図
【図３】緩衝ユニットの平面図
【図４】緩衝ユニットの一部断面側面図
【図５】コンベヤの部分側面図
【符号の説明】
【００２０】
１…ベルト本体、２…緩衝ユニット、２ａ…シート状部材、２ｂ…突起、２ｃ…連通部、２ｄ…流出入口、２ｅ…バルブ、Ａ…物品、Ｂ…流体。
【図１】
0003119558.tif 000003
【図２】
0003119558.tif 000004
【図３】
0003119558.tif 000005
【図４】
0003119558.tif 000006
【図５】
0003119558.tif 000007